(57)【要約】      （修正有）【課題】指で摘まんで台紙を剥す際の操作性を高めることができるとともに、外部からの異物の混入や外力による意図しない台紙の剥がれを防止できる歯ブラシ用ブリスター包装体を提供する。【解決手段】フランジ３のうち、収容部２の歯ブラシの柄９０の端部９０ａを収容する位置に対応する側の短辺部２０ａと、端部９０ａがオフセットされる側と左右反対側の長辺部２０ｂとの二辺接合部である隅部２１に対応する領域Ｒ１に、台紙１１に接着されない非接着部３０が設けられ、該非接着部３０が、収容部２に連続する内側の位置に設けられ、フランジ３の台紙１１に接着される接着部と略面一な重着部４と、該重着部４の外側に段差部５０を介して設けられ、台紙１１との間に所定の隙間が維持された浮き上がり片６とより構成され、段差部５０が、重着部４と浮き上がり片６との直線状の境界に沿って延びている。【選択図】図２
2019073297.tif 000002
【特許請求の範囲】
【請求項１】
歯ブラシを所定位置に保持した状態に収容する収容部、および該収容部の周囲に連設されたフランジを有する外装体と、
前記収容部の開口を塞ぐように、前記フランジに接着される台紙とを備えた歯ブラシ用のブリスター包装体において、
前記収容部が、前記歯ブラシを柄のブラシと反対側の端部を外装体の長手方向に延びる中心線に対して左右いずれかにオフセットされた位置に保持した状態に収容するものであり、
前記フランジのうち、前記収容部の前記歯ブラシの柄の前記端部を収容する位置に対応する側の短辺部と、前記端部がオフセットされる側と左右反対側の長辺部との二辺接合部である隅部に対応する領域に、台紙に接着されない非接着部が設けられ、
該非接着部が、
前記収容部に連続する内側の位置に設けられ、前記フランジの台紙に接着される接着部と略面一な重着部と、
該重着部の外側に段差部を介して設けられ、台紙との間に所定の隙間が維持された浮き上がり片とより構成され、
前記段差部が、前記重着部と浮き上がり片との直線状の境界に沿って延びていることを特徴とする、
歯ブラシ用のブリスター包装体。
【請求項２】
前記非接着部が、
前記浮き上がり片の隣接する短辺部側の接着部との間、および長辺部側の接着部との間に、それぞれフランジ幅方向に延びる所定長さの境界を有し、両境界に沿って前記段差部に連続する第２、第３の段差部を有し、全体として略コ字状に延びる段差部が設けられている請求項１記載の歯ブラシ用のブリスター包装体。
【請求項３】
前記収容部の前記非接着部に対応する前記隅部が、左右反対側であるオフセット側の隅部に比べて、空間が斜め直線状にカットされた形状であり、
前記重着部と浮き上がり片との直線状の境界が、前記隅部のカット方向に略平行に延び、
前記重着部は、前記隅部のカット方向に延びる略均一幅の帯状体である請求項１又は２記載の歯ブラシ用のブリスター包装体。
【発明の詳細な説明】
【技術分野】
【０００１】
本発明は、歯ブラシを所定位置に保持した状態に収容する収容部、および該収容部の周囲に連設されたフランジを有する外装体と、収容部の開口を塞ぐように、フランジに接着される台紙とを備える歯ブラシ用のブリスター包装体に関する。
【背景技術】
【０００２】
この種の歯ブラシ用のブリスター包装体は、従来より、店舗に設置される陳列棚の奥部側から前方へ向けて延びる陳列用の棒状のハンガーに、ブリスター包装体の上部に設けたフック部を引っ掛けて、縦向きに吊り下げて陳列可能となしたものが種々提案され、実用化されている（例えば、特許文献１，２参照。）。通常、外装体は、内容物としての歯ブラシを明確に目視できるように、ポリエチレンテレフタレートなどの透明な合成樹脂シート材で構成され、該合成樹脂シート材を所望形状に真空成形したものが広く採用されている。
【０００３】
ブリスター包装体の収容部内において歯ブラシは、消費者に対して最も強調したい面が前面側となるように収容保持される。例えば、特許文献１記載のブリスター包装体では、植毛台に対する毛束の植設配列が強調されるように、植毛面が前面側となるように歯ブラシを収容保持されている。また特許文献２記載のブリスター包装体では、ブラシ部の側面が強調されるように、植毛台における毛束の植設面が、台紙に対して略直交するように収容保持されている。
【０００４】
また、特許文献１記載のように、外装体の幅方向の中央部に歯ブラシを収容保持したものも実用化されているが、特許文献２記載のように、外装体の幅方向の中央部から一側方へオフセットさせた位置に歯ブラシを収容保持して、ブリスター包装体を前側から見たときにおける、歯ブラシのブラシ部及び首部の側方位置における台紙の表示面を極力大きく設定するように構成したものも広く実用化されている。
【０００５】
これら歯ブラシ用のブリスター包装体は、外装体における歯ブラシの柄のブラシと反対側の端部を収容する位置に対応する側の短辺部と、長辺部との二辺接合部である隅部に、台紙に接着されない非接着部が設けられ、この非接着部に対面する非接着の台紙部分を摘まみ部として指で摘まんで、外装体から台紙を引き剥がし、収容された歯ブラシの当該端部から取り出せるように構成されている。この摘まみ部の大きさ、とくに摘まむ指の長さ方向に沿った長さ寸法が小さいと、指でしっかりと摘まむことができず、外装体からの台紙の引き剥がし時の操作性が悪くなる。
【０００６】
引用文献１では、摘まみ部の長さを確保するために当該隅部に余分な膨らみ形状に設けている。このようなものはブリスター包装体全体の長さも長くなってしまい、管理時や輸送時、店舗での販売時に場所をとり、不便であるとともに製造コストも上昇してしまう。引用文献２では、外装体の当該非接着部を台紙から浮かして構成し、指を入れやすくする工夫をしているが、このような台紙との隙間を通じて外部から異物が侵入する虞があり、幅を大きく設定することができず、結果として当該非接着部に対面する台紙部分の指で摘まめる上記長さを十分確保できないという問題があった。
【０００７】
また、特に特許文献２の隅部の構造は、非接着部が歯ブラシの収容部との境界が曲線状とされ、非接着部自体は外力が加わっても容易に変形しない保形性が維持されているが、その分、対面する台紙部分に外力が作用しやすく、台紙部分と非接着部との間に上記隙間も維持されていることから、意図せず台紙が剥がれてしまいやすいという課題もある。
【先行技術文献】
【特許文献】
【０００８】
【特許文献１】特開平７−３１５４３３号公報
【特許文献２】特開２０１４−１７２６２９号公報
【発明の概要】
【発明が解決しようとする課題】
【０００９】
そこで、本発明が前述の状況に鑑み、解決しようとするところは、指で摘まんで台紙を剥す際の操作性を高めることができるとともに、外部からの異物の混入や外力による意図しない台紙の剥がれを防止できる歯ブラシ用ブリスター包装体を提供する点にある。
【課題を解決するための手段】
【００１０】
本発明は、以下の発明を包含する。
（１）  歯ブラシを所定位置に保持した状態に収容する収容部、および該収容部の周囲に連設されたフランジを有する外装体と、前記収容部の開口を塞ぐように、前記フランジに接着された台紙とを備えた歯ブラシ用のブリスター包装体において、前記収容部が、前記歯ブラシを柄のブラシと反対側の端部を外装体の長手方向に延びる中心線に対して左右いずれかにオフセットされた位置に保持した状態に収容するものであり、前記フランジのうち、前記収容部の前記歯ブラシの柄の前記端部を収容する位置に対応する側の短辺部と、前記端部がオフセットされる側と左右反対側の長辺部との二辺接合部である隅部に対応する領域に、台紙に接着されない非接着部が設けられ、該非接着部が、前記収容部に連続する内側の位置に設けられ、前記フランジの台紙に接着される接着部と略面一な重着部と、該重着部の外側に段差部を介して設けられ、台紙との間に所定の隙間が維持された浮き上がり片とより構成され、前記段差部が、前記重着部と浮き上がり片との直線状の境界に沿って延びていることを特徴とする、歯ブラシ用のブリスター包装体。
【００１１】
（２）  前記非接着部が、前記浮き上がり片の隣接する短辺部側の接着部との間、および長辺部側の接着部との間に、それぞれフランジ幅方向に延びる所定長さの境界を有し、両境界に沿って前記段差部に連続する第２、第３の段差部を有し、全体として略コ字状に延びる段差部が設けられている（１）記載の歯ブラシ用のブリスター包装体。
【００１２】
（３）  前記収容部の前記非接着部に対応する前記隅部が、左右反対側であるオフセット側の隅部に比べて、空間が斜め直線状にカットされた形状であり、前記重着部と浮き上がり片との直線状の境界が、前記隅部のカット方向に略平行に延び、前記重着部は、前記隅部のカット方向に延びる略均一幅の帯状体である（１）又は（２）記載の歯ブラシ用のブリスター包装体。
【発明の効果】
【００１３】
本発明の歯ブラシのブリスター包装体は、フランジのうち、収容部における歯ブラシの柄の端部を収容する位置に対応する側の短辺部と、歯ブラシの柄の前記端部がオフセットされる側と左右反対側の長辺部との二辺接合部である隅部に対応する領域に、非接着部が設けられており、非接着部をオフセット側の長辺部側の隅部に設ける場合に比べて歯ブラシの柄が存在しない分だけ大きい面積を確保することが可能とされ、これに対面する非接着の台紙部分、すなわち摘まみ部も大きい面積を確保することが可能である。とくに摘まむ指の長さ方向に沿った長さ寸法を大きく設定することも可能であり、これにより摘まみ部を指でしっかりと摘まむことができ、外装体からの台紙の引き剥がし時の操作性を向上することができる。
【００１４】
また、この非接着部に浮き上がり片を設けたので、当該浮き上がり片と台紙との間に指が挿入しやすくなり、台紙を剥離させる際の操作性をより向上させることができる反面、外部からこの隙間を通じて異物が侵入しやすくなる点については、非接着部における収容部に近い内側の領域に、台紙との隙間が無い重着部を設けることで、異物の侵入を阻止でき、大きな浮き上がり片としても異物侵入の心配のないものとすることができる。
【００１５】
さらに、このような内側に重着部を設けた浮き上がり片とすることで、浮き上がり片と収容部との間に凹凸の構造が形成されることとなるため、引用文献２のように浮き上がり部分が直接収容部に連続している構造に比べ、当該非接着部に外部から外力（衝撃等）が作用した際、台紙とともに浮き上がり片も変形しやすくなり、外力を吸収し、台紙に作用する力を緩和して意図しない台紙の剥がれや破損を防止することができる。とくに、重着部と浮き上がり片の間の段差部が、前記重着部と浮き上がり片との直線状の境界に沿って延びているため、外力が作用した際の前記浮き上がり片の変形が阻害されず、外力をより吸収しやすいように構成されている。
【００１６】
また、非接着部をオフセット側と反対側の隅部に設けているため、オフセット側である歯ブラシの柄の端部に対応するフランジ部分には、接着部が維持され、特に歯ブラシが移送時に軸方向に振動して柄の端部から力が作用しても台紙が意図せずに剥がれてしまうということを防止することができる。
【００１７】
前記非接着部が、前記浮き上がり片の隣接する短辺部側の接着部との間、および長辺部側の接着部との間に、それぞれフランジ幅方向に延びる所定長さの境界を有し、両境界に沿って前記段差部に連続する第２、第３の段差部を有し、全体として略コ字状に延びる段差部が設けられたものでは、隣接する接着部の領域を可能な限り維持しつつ、非接着の台紙部分をこれを摘まむ指の長さ方向に長い寸法に設定することができ、操作性と接着強度をより効率よく両立した構成とすることができる。また、このような段差部は浮き上がり片にある程度の保形性を与え、不要な変形を防止でき、良好な見栄えを維持できる。
【００１８】
前記収容部の前記非接着部に対応する前記隅部が、左右反対側であるオフセット側の隅部に比べて、空間が斜め直線状にカットされた形状であり、前記重着部と浮き上がり片との直線状の境界が、前記隅部のカット方向に略平行に延び、前記重着部は、前記隅部のカット方向に延びる略均一幅の帯状体であるものでは、非接着部を大きくとれるとともに、外部からの異物侵入をより効果的（確実）に防止することができる。すなわち、隅部がこのようなカットのされない通常の外凸の形状であれば、重着部の幅（正面から見て、重着部と浮き上がり片との境界が延びている方向に直交する方向の寸法）が異物侵入の確率の高い中央位置で狭くなってしまうが、上記のとおり斜め直線状にカットされ、重着部が略均一幅の帯状体で構成されれば、中央位置にも幅が維持され、異物侵入をより確実に防ぐことができるのである。
【図面の簡単な説明】
【００１９】
【図１】本発明の代表的実施形態に係る歯ブラシ用のブリスター包装体を示す斜視図。
【図２】同じくブリスター包装体の正面図。
【図３】図１のＡ−Ａ端面図。
【図４】同じくブリスター包装体の要部を示す説明図。
【図５】図１のＢ−Ｂ断面図。
【発明を実施するための形態】
【００２０】
次に、本発明の実施形態を添付図面に基づき詳細に説明する。なお、本実施形態では、図２に示すように、ブリスター包装体を図示しない陳列用のハンバーに引っ掛けて縦向き姿勢に支持した状態を基準に、前後方向（外装体１０が前側、台紙１１が後ろ側）、左右方向、上下方向を定義して説明する。
【００２１】
図１及び図２に示すように、ブリスター包装体１は、収容される歯ブラシ９の柄９０が延びている方向に長く形成され、歯ブラシ９を縦向きに保持した状態に収容する収容部２、および収容部２の周囲に連設されたフランジ３を有する合成樹脂シート製の外装体１０と、収容部２の開口を塞ぐように、フランジ３に接着された台紙１１とを備えている。
【００２２】
ブリスター包装体１に収容される歯ブラシ９としては、植毛台と首部とハンドル部とを有する柄９０と、植毛台に植設された複数の毛束（ブラシ）とを備え、合成樹脂製の複数本のフィラメントからなる毛束を、植毛台に植設してブラシ部を形成したものであれば、任意の周知の構成のものを採用できる。
【００２３】
ブリスター包装体１の上部には、引っ掛け部としてのフック部１２が設けられ、店舗に設置される陳列棚の奥部側から前方へ向けて延びる陳列用の棒状のハンガーにフック部１２を引っ掛けて、ブリスター包装体１を縦向きに吊るして陳列できるように構成されている。なお、引っ掛け部としては、ハンガーが挿通する貫通孔をブリスター包装体１の上部に形成したり、ブリスター包装体１とは別部材からなるフック部材をブリスター包装体１に取り付けたりすることも可能である。
【００２４】
台紙１１は、紙、合成樹脂シート、ラミネート紙などで構成され、収容部２の開口を塞ぐように、その外周部を外装体１０のフランジ３に重ね合わせて接着されている。台紙１１とフランジ３の接着は、例えばホットメルトタイプなどの接着剤を用いてヒートシールや超音波シールなどにより接着できる。
【００２５】
外装体１０は、合成樹脂シートを用いた真空成形、圧空成形、真空圧空成形などにより、収容部２およびフランジ３が一体に成形されている。合成樹脂シートの素材としては、ポリエステル系樹脂、ポリカーボネート系樹脂、ポリエチレン系樹脂、ポリプロピレン系樹脂、ポリスチレン系樹脂等を採用できる。これらの内でも、ポリエステル系樹脂、とりわけポリエチレンテレフタレート樹脂を用いるのが、透明性に優れていることから好ましい。
【００２６】
外装体１０の幅（左右幅）は、任意に設定可能であるが、例えば２５ｍｍ〜４５ｍｍに設定できる。外装体１０の長さ（上下長さ）は、歯ブラシ９の長さなどに応じて任意に設定可能であるが、成人用の歯ブラシ９を収容する場合には、例えば２００ｍｍ〜２４０ｍｍに設定できる。外装体１０の外縁と台紙１１の外縁とは、正面視において同一形状同一寸法に構成されている。また、フランジ３の幅（フランジ３が延びている収容部２の周囲方向に対して直交する方向の寸法）は、任意に設定可能であるが、例えば２ｍｍ〜４ｍｍに設定することができる。フランジ３の厚さ（前後厚さ）は、任意に設定可能であるが、２００μｍ以上２８０μｍ以下に設定することができる。
【００２７】
収容部２は、図２に示すように、歯ブラシ９を、柄９０のブラシと反対側の端部９０ａを外装体１０の長手方向（上下方向）に延びる中心線ｃ１に対して左右いずれか（本例では右側）にオフセットされた位置に保持した状態に収容するように構成されている。本例では、歯ブラシ９を、毛束（ブラシ）の植毛面を前側へ向け、柄９０の中心軸が前記外装体１０の中心軸ｃ１に平行な状態で左右いずれか（本例では右側）にオフセットされた状態に収容するものとされているが、これに限定されるものではない。
【００２８】
歯ブラシの柄のブラシと反対側の端部を左右いずれかにオフセットされた位置に保持した状態に収容するものであれば、たとえば、歯ブラシ９の植毛面が台紙１１に対して斜めに配置される状態に収容するものとすることもでるし、植毛面が台紙１１に対して略直交する状態に収容するものとすることもできる。前方からみて柄が斜めに収容されるものも勿論含まれる。
【００２９】
より具体的には、収容部２は、歯ブラシ９のブラシ部を収容するブラシ収容部２３と、歯ブラシ９の首部を収容する首収容部２４と、歯ブラシ９のハンドル部の下端部を除く部分を収容するハンドル収容部２５と、ハンドル部の下端部を収容する下端収容部２６とを備えており、ブラシ収容部２３と下端収容部２６とは、外装体１０の幅方向の中央部（中心線ｃ１）から右側へオフセットした位置に形成されている。
【００３０】
このようなブリスター包装体１内において、歯ブラシ９は、柄９０の下端部９０ａが下端収容部２６内に配置されて、柄９０の下端部９０ａの前後方向及び左右方向への移動が規制されるとともに、下方への移動が規制され、またブラシ部がブラシ収容部２３内に配置されて、植毛台の前後方向及び左右方向への移動が規制されるとともに、上方への移動が規制され、これにより、上述のとおり中心軸ｃ１に平行な状態で右側へオフセットした位置に収容される。
【００３１】
収容部２の周囲に連設されるフランジ３のうち、収容部２における前記歯ブラシ９の端部（柄９０の下端部）９０ａを収容する下端収容部２６の位置に対応する側の短辺部２０ａと、前記端部９０ａがオフセットされる側と左右反対側（左側）の長辺部２０ｂとの二辺接合部である隅部２１に対応する領域Ｒ１に、台紙１１に接着されない非接着部３０が設けられている。この非接着部３０に対面する台紙部分が、指で摘まんで台紙１１を外装体１０から引き剥がしてブリスター包装体１に収容された歯ブラシ９を取り出すための操作部、すなわち摘まみ部１１ａとなる。
【００３２】
非接着部３０は、オフセット側（本例では右側）の隅部に設ける場合に比べ、歯ブラシの柄が存在しない分だけ大きい面積が確保されており、これに対面する摘まみ部１１ａも大きい面積が確保されている。すなわち、収容部２の非接着部３０に対応する隅部２１は、左右反対側であるオフセット側（右側）の隅部２２に比べて、空間が大きく斜めに直線状にカットされた形状とされている。このように、非接着部３０を大きく構成することで、摘まむ指の長さ方向に沿った長さ寸法Ｌ１も従来に比べて大きく設定されており、摘まみ部１１ａを指でしっかりと摘まむことができるように構成されている。このＬ１は、好ましくは１２ｍｍ〜２０ｍｍに設定される。
【００３３】
このように非接着部３０を歯ブラシの柄の端部９０ａのオフセット側と反対側の隅部２１に設けることで、オフセット側である歯ブラシ端部９０ａに対応するフランジ部分には、十分な面積の接着部３１Ａが維持され、特に歯ブラシ９が移送時に軸方向に振動して端部９０ａから力がフランジ３に作用しても、台紙が剥がれてしまうことを防止することができることになる。
【００３４】
非接着部３０は、収容部２に連続する内側の位置に設けられ、フランジ３の台紙１１に接着される接着部３１と略面一な重着部４と、該重着部４の外側に段差部５０を介して設けられ、台紙１１との間に所定の隙間ｓ１が維持された浮き上がり片６とより構成されており、更に操作が良好になるように工夫されている。すなわち、浮き上がり片６を設けたことで、当該浮き上がり片６と台紙１１との間に指が挿入しやすくなり、台紙１１を剥離させる際の操作性が向上する。隙間ｓ１は、好ましくは１ｍｍ〜３ｍｍに設定される。
【００３５】
また、このような浮き上がり片６を設けることで、浮き上がり片を設けないものに比べて外部からこの隙間ｓ１に異物が侵入しやすくなるが、収容部２に近い内側に、台紙との隙間が無い重着部４を設けることで、収容部２内への異物の侵入を阻止することができる。重着部４は、浮き上がり片６と収容部２との間に凹凸の構造（重着部４による凹み）を形成するため、外部から外力（衝撃等）が作用した際、台紙とともに浮き上がり片も変形しやすくなり、外力を吸収し、台紙に作用する力を緩和し、意図しない台紙の剥がれや破損を防止できるという効果も奏する。
【００３６】
さらに、重着部４と浮き上がり片６の間の段差部５０は、重着部４と浮き上がり片６との直線状の境界に沿って延びている。このため、上記のように外力が作用した際、浮き上がり片６の変形が阻害されず、外力をより吸収しやすい構造とされている。浮き上がり片６の隣接する短辺部２０ａ側の接着部３１Ａとの間、および長辺部２０ｂ側の接着部３１Ｂとの間には、それぞれフランジ幅方向に延びる所定長さの境界を有しており、両境界に沿って、段差部５０に連続する第２の段差部５１、第３の段差部５２がそれぞれ設けられ、全体として略コ字状に延びる段差部５が設けられている。
【００３７】
このように段差部５を略コ字状に設けることで、非接着部３０に隣接する接着部３１Ａ，３１Ｂの領域を可能な限り維持しつつ、上記Ｌ１の寸法を大きい値に設定することができ、優れた操作性と接着強度を両立した構成とされている。また、段差部５を直線状に設ける場合に比べて、浮き上がり片６自体にある程度の保形性を与えることができ、不要な変形を防止でき、良好な見栄えを維持できる効果もある。
【００３８】
重着部４と浮き上がり片６との直線状の境界（段差部５０）は、上述した隅部２１のカット方向に沿って略平行に延び、重着部４は、隅部２１のカット方向に延びる略均一幅の帯状体に構成されている。これにより、、重着部４で外部からの異物侵入をより確実に防ぐことができるように構成されている。
【００３９】
以上、本発明の実施形態について説明したが、本発明はこうした実施例に何ら限定されるものではなく、本発明の要旨を逸脱しない範囲において種々なる形態で実施し得ることは勿論である。
【符号の説明】
【００４０】
１  ブリスター包装体
２  収容部
３  フランジ
４  重着部
５  段差部
６  浮き上がり片
９  歯ブラシ
１０  外装体
１１  台紙
１１ａ  摘まみ部
１２  フック部
２０ａ  短辺部
２０ｂ  長辺部
２１、２２  隅部
２３  ブラシ収容部
２４首収容部
２５  ハンドル収容部
２６  下端収容部
３０  非接着部
３１  接着部
３１Ａ，３１Ｂ  接着部
５０  段差部
５１  段差部
５２  段差部
９０  柄
９０ａ  端部
ｃ１  中心線
Ｌ１  寸法
Ｒ１  領域
ｓ１  隙間
【図１】
2019073297.tif 000003
【図２】
2019073297.tif 000004
【図３】
2019073297.tif 000005
【図４】
2019073297.tif 000006
【図５】
2019073297.tif 000007